(57)【要約】【課題】待ち受け情報の希少性を高めて情報価値を高める。【解決手段】情報端末１に搭載する待ち受け情報をサーバ２から情報端末１に配信する待ち受け情報配信において、情報端末１の存在位置情報から情報端末１が所定エリア内に存在するとき要求された待ち受け情報を情報端末１にダウンロードし、情報端末１が所定エリア外に存在するときにはダウンロードを拒否する。これによりも、所定エリア内に出向かない限り待ち受け情報を取得できないため、情報の希少性，価値が高まる。【選択図】  図２
2004158972.tif 000002
【特許請求の範囲】
【請求項１】
情報端末に搭載する待ち受け情報をサーバから前記情報端末に配信する待ち受け情報配信方法において、前記情報端末の存在位置情報から該情報端末が所定エリア内に存在するとき要求された待ち受け情報を該情報端末にダウンロードし、該情報端末が前記所定エリア外に存在するときには前記ダウンロードを拒否することを特徴とする待ち受け情報配信方法。
【請求項２】
情報端末に搭載する待ち受け情報をサーバから前記情報端末に配信する待ち受け情報配信システムにおいて、前記情報端末の存在位置情報から該情報端末が所定エリア内に存在するとき要求された待ち受け情報を該情報端末にダウンロードし該情報端末が前記所定エリア外に存在するときには前記ダウンロードを拒否する手段を備えることを特徴とする待ち受け情報配信システム。
【発明の詳細な説明】
【０００１】
【発明の属する技術分野】
本発明は、携帯電話機等で用いる待ち受け画面や着信メロディ等の待ち受け情報を配信する情報配信システム及びその方法に係り、特に、待ち受け情報の希少性を高めることができる待ち受け情報配信システム及びその方法に関する。
【０００２】
【従来の技術】
パーソナルハンディホンシステム（ＰＨＳ）や携帯電話機等の携帯情報端末装置が普及し、各々のユーザは、その待ち受け画面や着信メロディに個性を出し、自己表現をしようとしている。そこで、様々な画面や着信メロディをユーザに提供する情報配信システムも普及してきている。
【０００３】
例えば、特開２００１―３４５９８５号公報（特許文献１）記載の画像配信システムでは、画像蓄積サーバをネットワークに接続しておき、携帯端末のユーザから画像の発注があったとき、ユーザの所望する画像を画像蓄積サーバから読み出し加工してからそのユーザの携帯端末にダウンロードする様になっている。
【０００４】
【特許文献１】
特開２００１―３４５９８５号公報
【０００５】
【発明が解決しようとする課題】
しかしながら、従来の情報配信システムでは、所定の料金さえ払えば誰でもがアクセスでき、誰でもが好きな情報をダウンロードできるため、ダウンロードした情報で自己表現しようとしても、その情報を誰もがダウンロード可能であるので、価値が低いという問題がある。
【０００６】
本発明の目的は、希少性のある情報をダウンロードすることができる情報配信システム及びその方法を提供することにある。
【０００７】
【課題を解決するための手段】
上記目的は、情報端末に搭載する待ち受け情報をサーバから前記情報端末に配信する待ち受け情報配信において、前記情報端末の存在位置情報から該情報端末が所定エリア内に存在するとき要求された待ち受け情報を該情報端末にダウンロードし、該情報端末が前記所定エリア外に存在するときには前記ダウンロードを拒否することを特徴とする。
【０００８】
この構成により、前記所定エリア内に出向かない限り所望情報をダウンロードすることができないため、所望情報の希少性が高まり、その情報価値も高くなる。
【０００９】
【発明の実施の形態】
以下、本発明の一実施形態を図面を参照して説明する。
【００１０】
図１は、本発明の一実施形態に係る待ち受け情報配信システムの構成図である。この情報配信システムは、ＧＰＳ（グローバルポジショニングシステム）を搭載した携帯電話機などの情報端末１と、この情報端末１がアクセス可能な待ち受け画像サイトサーバ２とで構成される。
【００１１】
この待ち受け画像サイトサーバ２は、例えばテーマパークのサーバであり、情報端末１から待ち受け画像のダウンロード要求があったとき、この情報端末１の存在位置情報を取得し、情報端末１がテーマパーク内に存在した場合のみ要求画像をダウンロードし、情報端末１がテーマパーク外に存在しているときは待ち受け画像の要求を拒否する構成となっている。
【００１２】
図２は、この情報配信システムにおける情報配信手順を示すフローチャートである。情報端末１から待ち受け画像サイトサーバ２に対してアクセス要求が発行されると（ステップＳ１）、このアクセス要求を受信したサーバ２は待ち受け画像情報（例えばリスト情報）を情報端末１に送信する（ステップＳ２）。
【００１３】
情報端末１に送信されてきた待ち受け画像情報を見た情報端末１のユーザが目的の待ち受け画像を選択すると（ステップＳ３）、選択対象を指定する情報と共に、情報端末１の存在位置を示すＧＰＳ情報がサーバ２に送信される（ステップＳ４）。
【００１４】
サーバ２は、受信した情報端末１の存在位置情報から情報端末１がテーマパーク内に存在するか否かを判定し（ステップＳ５）、存在する場合にはステップＳ６で選択対象の待ち受け画像を送信し、情報端末１は、この待ち受け画像を受信する（ステップＳ７）。
【００１５】
情報端末１の存在位置がテーマパーク外であった場合には、ステップＳ５からステップＳ８に進み、待ち受け画像のダウンロード拒否情報を送信し、情報端末１は、このダウンロード拒否情報を受信し（ステップＳ９）、この処理手順を終了する。
【００１６】
図３は、上述した情報配信手順を行っているときの情報端末１の表示画面に表示される画面例を示す図である。画面１０では、図２のステップＳ２で送信されてきた待ち受け画像情報を表示している。図２の説明では、待ち受け画像だけを配信情報として説明したが、着信メロディや待ち受け中に行うゲームのソフトも配信情報とすることができ、これら配信可能な情報リストを画面１０に表示する。
【００１７】
ユーザがこの画面１０を見てダウンロードしたい情報を選択すると、例えば壁紙（待ち受け画像）のどれかを選択すると、画面１１または画面１２に遷移する。画面１１は、情報端末１の存在位置がテーマパーク内のときの画面例であり、選択された壁紙のダウンロードを行う画面である。画面１２は、情報端末１の存在位置がテーマパーク外のときの画面例であり、ダウンロード拒否情報が表示される。
【００１８】
以上述べた様に、本実施形態によれば、所定地域に出向かない限り配信情報のダウンロードができないため、その情報の希少性が高くなり、情報価値が高くなる。また、情報配信側にとっては、情報配信を行うテーマパークや店舗等の宣伝にもなり、販売促進を図ることが可能となる。
【００１９】
尚、上述した実施形態では、情報端末１の位置情報を情報端末搭載のＧＰＳから取得したが、位置情報はＧＰＳから取得する場合に限るものではなく、他の手段によって取得することでもよい。
【００２０】
【発明の効果】
本発明によれば、配信情報の希少性を高めて情報価値を高めることが可能となる。
【図面の簡単な説明】
【図１】本発明の一実施形態に係る情報配信システムの構成図である。
【図２】図１に示す情報配信システムにおける情報配信手順を示すフローチャートである。
【図３】図１に示す情報端末の画面表示例を示す図である。
【符号の説明】
１  情報端末
２  待ち受け画像サイトサーバ
１０，１１，１２  情報端末の表示画面
【図１】
2004158972.tif 000003
【図２】
2004158972.tif 000004
【図３】
2004158972.tif 000005